【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
コンピュータ可能な記録媒体のコンテンツが、コンピュータに、
発信ユーザーと、複数のエンドポイントにログインしているリモートユーザーとの間のインスタントメッセージング（ＩＭ）対話のＩＭ接続を、最初にページモードのＩＭで開始させ、
前記ＩＭ対話に応答するために前記リモートユーザーによって使用されたエンドポイントの識別子を含む、ページモードのＩＭの前記ＩＭ対話に対する応答を、前記リモートユーザーから受信させ、
前記リモートユーザーから受信した前記識別子に基づいて発見され、前記ＩＭ対話に応答するために前記リモートユーザーによって使用された、前記エンドポイントの身元を発見させ、
前記エンドポイントの前記身元を発見すると、前記リモートユーザーによって使用された前記エンドポイントに、セッションベースのＩＭを確立するように求める要求を送信することによって、前記ＩＭ対話をページモードのＩＭからセッションベースのＩＭに変換させる
ことを特徴とするコンピュータ読み取り可能な記録媒体。
【請求項２】
前記ページモードのＩＭは、セッション開始プロトコル（ＳＩＰ）を使用して確立されることを特徴とする請求項１に記載のコンピュータ読み取り可能な記録媒体。
【請求項３】
前記ページモードのＩＭは、ＳＩＰにおけるＭＥＳＳＡＧＥ要求を使用して確立されることを特徴とする請求項２に記載のコンピュータ読み取り可能な記録媒体。
【請求項４】
前記セッションベースのＩＭは、ＳＩＰを使用して確立されることを特徴とする請求項１に記載のコンピュータ読み取り可能な記録媒体。
【請求項５】
前記セッションベースのＩＭは、ＳＩＰにおけるＩＮＶＩＴＥ要求を使用して確立されることを特徴とする請求項４に記載のコンピュータ読み取り可能な記録媒体。
【請求項６】
前記コンピュータに、前記ＩＭ対話をセッションベースのＩＭに変換した後、前記リモートユーザーの１つのまたは複数のエンドポイントに、前記リモートユーザーの別のエンドポイントでセッションが確立されているとの指示を送信させるコンテンツを、さらに含むことを特徴とする請求項１に記載のコンピュータ読み取り可能な記録媒体。
【請求項７】
前記リモートユーザーによって使用された前記エンドポイントの前記身元は、ダイアログを確立するように求める要求の受信を介して発見されることを特徴とする請求項１に記載のコンピュータ読み取り可能な記録媒体。
【請求項８】
ダイアログを確立するように求める前記要求は、ＳＩＰにおけるＩＮＶＩＴＥ要求を介して行われることを特徴とする請求項７に記載のコンピュータ読み取り可能な記録媒体。
【請求項９】
コンピューティングシステムにおいて混合モードのＩＭを提供する方法であって、
発信装置においてＩＭサービスに登録されている発信ユーザーと、複数のリモート装置においてＩＭサービスに登録されているリモートユーザーとの間のＩＭ対話を、最初にページモードのＩＭで開始するステップであって、
前記ＩＭ対話は、ページモードのＩＭの開始ＩＭメッセージを前記発信ユーザーから前記リモートユーザーに送信するステップであって、前記開始ＩＭメッセージが、前記発信装置から、前記リモートユーザーが登録された前記複数のリモート装置のそれぞれに送信されるステップによって、開始されるステップと、
ページモードのＩＭの応答ＩＭメッセージと、前記開始ＩＭメッセージに応答するために前記リモートユーザーによって使用された、前記リモートユーザーが登録された前記複数のリモート装置の１つであるリモート装置の識別子とを含む応答を、前記リモートユーザーから受信するステップと、
前記応答の前記識別子に基づいて発見され、前記開始ＩＭメッセージに応答するために前記リモートユーザーによって使用された、前記リモート装置の身元を発見するステップと、
前記開始ＩＭメッセージに応答するために前記リモートユーザーによって使用された前記リモート装置の身元を発見した後、前記発信ユーザーから前記リモートユーザーに、前記ＩＭ対話をセッションベースのＩＭに変換するように求める要求を送信することによって、前記ＩＭ対話をページモードのＩＭからセッションベースのＩＭに変換するステップであって、前記要求は、前記発信デバイスから前記リモートユーザーによって使用された前記リモート装置に送信されるステップと
を含むことを特徴とする方法。
【請求項１０】
前記ＩＭ対話をページモードのＩＭからセッションベースのＩＭに変換した後、前記複数のリモート装置にセッションベースのＩＭへの前記変換を通知するステップをさらに含むことを特徴とする請求項９に記載の方法。
【請求項１１】
前記ページモードのＩＭは、前記ＩＭ対話に最初に応答するために前記リモートユーザーによって使用された前記リモート装置から前記発信装置に送信されたセッションを確立するように求める要求を介してセッションベースのＩＭに変換されることを特徴とする請求項９に記載の方法。
【請求項１２】
前記要求は、ＳＩＰにおけるＩＮＶＩＴＥ要求であることを特徴とする請求項１１に記載の方法。
【請求項１３】
前記ページモードのＩＭは、前記発信装置から前記ＩＭ対話に最初に応答するために前記リモートユーザーによって使用された前記リモート装置に送信されたセッションを確立するように求める要求を介してセッションベースのＩＭに変換されることを特徴とする請求項９に記載の方法。
【請求項１４】
前記ＩＭ対話に最初に応答するために前記リモートユーザーによって使用された前記複数のリモート装置のうちの１つの前記身元を発見するステップは、前記ＩＭ対話に最初に応答するために前記リモートユーザーによって使用された前記リモート装置が、前記発信装置にその身元を送信するステップを含むことを特徴とする請求項９に記載の方法。
【請求項１５】
混合モードのＩＭを提供するシステムであって、
発信ユーザーと、複数のリモート装置で登録されているリモートユーザーとの間のＩＭ対話のＩＭ接続を最初はページモードのＩＭで開始する手段と、
前記ＩＭ対話に最初に応答するために前記リモートユーザーによって使用されたリモート装置の識別子を含む、ページモードのＩＭの前記ＩＭ対話に対する最初の応答を前記リモートユーザーから受信する手段と、
前記ＩＭ対話に最初に応答するために前記リモートユーザーによって使用された、前記リモートユーザーが登録された複数のリモート装置の１つである前記リモート装置の身元を発見する手段と、
前記ＩＭ対話に最初に応答するために前記リモートユーザーによって使用された前記リモート装置の前記身元の発見に応答して、前記ＩＭ対話をセッションベースのＩＭに変換する手段と
を含むことを特徴とするシステム。
【請求項１６】
前記リモートユーザーが登録された装置のそれぞれに、ページモードのＩＭからセッションベースのＩＭへの前記ＩＭ対話の前記変換の指示を提供するステップをさらに含むことを特徴とする請求項１５に記載のシステム。
【請求項１７】
前記ＩＭ対話は、前記リモート装置が、前記発信ユーザーによって使用された発信装置にダイアログを確立するように求める要求を送信すると、セッションベースのＩＭに変換されることを特徴とする請求項１５に記載のシステム。
【請求項１８】
前記ＩＭ対話は、前記リモート装置が、前記発信ユーザーによって使用された発信装置にその身元を送信し、前記発信装置が、前記リモート装置にダイアログを確立するように求める要求を送信すると、セッションベースのＩＭに変換されることを特徴とする請求項１５に記載のシステム。